(57)【特許請求の範囲】
【請求項１】
湾曲可能な基板上に実装された電子デバイスを封止する封止構造であって、
前記基板より硬質な材料を用いて形成され、前記電子デバイスが実装された前記基板の表面と裏面とから前記基板を介して前記電子デバイスを挟み込むプレート部と、
前記プレート部の外周に設けられて該プレート部の一部を覆うとともに、該プレート部を前記基板に押し付けるように一体的に成型された弾性体と、
を備えたことを特徴とする封止構造。
【請求項２】
前記弾性体は、前記基板上に設けられた前記表面と前記裏面とを連通する連通孔部を介して成型されることを特徴とする請求項１に記載の封止構造。
【請求項３】
前記プレート部は、前記電子デバイスと該プレート部の外部とを連通する孔部を有し、
前記弾性体は、前記孔部を介して前記プレート部と前記電子デバイスとの隙間に充填されることを特徴とする請求項１に記載の封止構造。
【請求項４】
前記プレート部は、前記電子デバイスの表面を該プレート部の外部に露出する開口部を有し、
前記弾性体は、前記開口部を介して前記プレート部と前記電子デバイスとの隙間に充填されることを特徴とする請求項１に記載の封止構造。
【請求項５】
前記プレート部と前記電子デバイスとの間に設けられ、前記プレート部と前記電子デバイスが互いに離間する方向に付勢する弾性部材をさらに備えたことを特徴とする請求項１に記載の封止構造。
【請求項６】
前記基板は、無線信号を受信するアンテナ部を有し、
前記弾性体の外縁は、略円形をなし、前記アンテナ部に接することを特徴とする請求項１に記載の封止構造。
【請求項７】
前記プレート部は、
前記表面側に位置する第１プレート部と、
前記裏面側に位置し、前記基板を介して前記第１プレート部とともに前記電子デバイスを挟み込む第２プレート部と、
を有し、
前記第１プレート部には、前記基板を貫通して前記裏面に向けて突起する突起部が形成され、
前記第２プレート部には、前記突起部と対向する位置に前記突起部と嵌合する嵌合部が形成されていることを特徴とする請求項１に記載の封止構造。
【請求項８】
前記突起部は、前記嵌合部と係合する係合部をさらに有することを特徴とする請求項７に記載の封止構造。
【請求項９】
被検体内に導入されるカプセル型内視鏡から送信される無線信号を受信するアンテナ装置であって、
湾曲可能な基板と、
前記基板上に実装され、前記無線信号を受信するアンテナ部と、
前記基板上に実装され、前記アンテナ部に接続されて前記アンテナ部が受信した前記無線信号に対して所定の処理を行う電子デバイスと、
前記電子デバイスを封止する封止構造と、
を備え、
前記封止構造は、
前記基板より硬質な材料を用いて形成され、前記電子デバイスが実装された前記基板の表面と裏面とから前記基板を介して前記電子デバイスを挟み込むプレート部と、
前記プレート部の外周に設けられて該プレート部の一部を覆うとともに、該プレート部を前記基板に押し付けるように一体的に成型された弾性体と、
を有することを特徴とするアンテナ装置。
【発明の詳細な説明】
【技術分野】
【０００１】
本発明は、被検体内に挿入されたカプセル型内視鏡から送信される無線信号を受信するアンテナ装置の基板上に実装された電子デバイスを封止する封止構造およびアンテナ装置に関する。
【背景技術】
【０００２】
従来、内視鏡の分野では、患者等の被検体の消化管内に導入可能な大きさに形成されたカプセル形状の筐体内に撮像機能や無線通信機能等を内蔵したカプセル型内視鏡が知られている。このカプセル型内視鏡は、被検体の口から飲み込まれた後、蠕動運動等によって消化管内等の被検体内部を移動しながら、被検体内部を順次撮像して画像データを生成し、この画像データを順次無線送信する。【０００３】
このようにしてカプセル型内視鏡が無線送信した画像データは、被検体の外部に設けられた受信用のアンテナ装置を介して受信装置に受信される。この受信装置は、受信した画像データを記憶するメモリを有しており、被検体が携帯可能である。【０００４】
上述したアンテナ装置として、フレキシブルシート上に複数の受信アンテナを分散配置したものが知られている。このアンテナ装置では、無線信号の受信強度が最も強い１つの受信アンテナを選択し、その選択した受信アンテナによって無線信号を受信している（特許文献１参照）。
【先行技術文献】
【特許文献】
【０００５】
【特許文献１】特開２００７−３３０５０８号公報
【発明の概要】
【発明が解決しようとする課題】
【０００６】
ところで、上述した従来技術では、受信アンテナの受信特性を向上させるため、無線信号に増幅等の処理を行う電子デバイスをフレキシブルシート上に実装することが考えられる。しかしながら、フレキシブルシートは、被検体への装着時に被検体の体型や動きに合わせて湾曲するため、湾曲の度合いによっては実装した電子デバイスに負荷がかかることで、電子デバイスがフレキシブルシートから剥離してしまうおそれがあった。【０００７】
本発明は、上記に鑑みてなされたものであって、フレキシブルシートの湾曲時に電子デバイスに生じる負荷を緩和することができる電子デバイス用の封止構造およびアンテナ装置を提供することを目的とする。
【課題を解決するための手段】
【０００８】
上述した課題を解決し、目的を達成するために、本発明にかかる封止構造は、湾曲可能な基板上に実装された電子デバイスを封止する封止構造であって、前記基板より硬質な材料を用いて形成され、前記電子デバイスが実装された前記基板の表面と裏面とから前記基板を介して前記電子デバイスを挟み込むプレート部と、前記プレート部の外周に設けられて該プレート部の一部を覆うとともに、該プレート部を前記基板に押し付けるように一体的に成型された弾性体と、を備えたことを特徴とする。【０００９】
また、本発明にかかる封止構造は、上記発明において、前記弾性体は、前記基板上に設けられた前記表面と前記裏面とを連通する連通孔部を介して成型されることを特徴とする。【００１０】
また、本発明にかかる封止構造は、上記発明において、前記プレート部は、前記電子デバイスと該プレート部の外部とを連通する孔部を有し、前記弾性体は、前記孔部を介して前記プレート部と前記電子デバイスとの隙間に充填されることを特徴とする。【００１１】
また、本発明にかかる封止構造は、上記発明において、前記プレート部は、前記電子デバイスの表面を該プレート部の外部に露出する開口部を有し、前記弾性体は、前記開口部を介して前記プレート部と前記電子デバイスとの隙間に充填されることを特徴とする。【００１２】
また、本発明にかかる封止構造は、上記発明において、前記プレート部と前記電子デバイスとの間に設けられ、前記プレート部と前記電子デバイスが互いに離間する方向に付勢する弾性部材をさらに備えたことを特徴とする。【００１３】
また、本発明にかかる封止構造は、上記発明において、前記基板は、無線信号を受信するアンテナ部を有し、前記弾性体の外縁は、略円形をなし、前記アンテナ部に接することを特徴とする。【００１４】
また、本発明にかかる封止構造は、上記発明において、前記プレート部は、前記表面側に位置する第１プレート部と、前記裏面側に位置し、前記基板を介して前記第１プレート部とともに前記電子デバイスを挟み込む第２プレート部と、を有し、前記第１プレート部には、前記基板を貫通して前記裏面に向けて突起する突起部が形成され、前記第２プレート部には、前記突起部と対向する位置に前記突起部と嵌合する嵌合部が形成されていることを特徴とする。【００１５】
また、本発明にかかる封止構造は、上記発明において、前記突起部は、前記嵌合部と係合する係合部をさらに有することを特徴とする。【００１６】
本発明にかかるアンテナ装置は、被検体内に導入されるカプセル型内視鏡から送信される無線信号を受信するアンテナ装置であって、湾曲可能な基板と、前記基板上に実装され、前記無線信号を受信するアンテナ部と、前記基板上に実装され、前記アンテナ部に接続されて前記アンテナ部が受信した前記無線信号に対して所定の処理を行う電子デバイスと、前記電子デバイスを封止する封止構造と、を備え、前記封止構造は、前記基板より硬質な材料を用いて形成され、前記電子デバイスが実装された前記基板の表面と裏面とから前記基板を介して前記電子デバイスを挟み込むプレート部と、前記プレート部の外周に設けられて該プレート部の一部を覆うとともに、該プレート部を前記基板に押し付けるように一体的に成型された弾性体と、を有することを特徴とする。
【発明の効果】
【００１７】
本発明によれば、封止構造が基板上に実装された電子デバイスの表面と裏面とから基板を介して電子デバイスを挟み込む硬質なプレート部と、プレート部の外周に設けられてプレート部の一部を覆うとともに、プレート部を基板に押し付けるように一体的に成型された弾性体とを備えるので、フレキシブルシートの湾曲時に電子デバイスに生じる負荷を緩和することができるという効果を奏する。
【図面の簡単な説明】
【００１８】
【図１】図１は、本発明の実施の形態１にかかるカプセル型内視鏡システムの概略構成を示す模式図である。
【図２】図２は、本発明の実施の形態１にかかるアンテナ接続ユニットと受信装置とを分離した状態の上面図である。
【図３】図３は、図２の矢視Ａ方向の側面図である。
【図４】図４は、本発明の実施の形態１にかかるアンテナ接続ユニットの筐体を分解した斜視図である。
【図５】図５は、図２の矢視Ｂ方向のアンテナ接続ユニットの筐体を分解した正面図である。
【図６】図６は、図２の矢視Ｂ方向のアンテナ接続ユニットの正面図である。
【図７】図７は、図２のＣ−Ｃ線断面の要部を模式的に示す図である。
【図８】図８は、本発明の実施の形態１にかかるアンテナ接続ユニットを受信装置に接続した際のガスケットの状態を模式的に示す断面図である。
【図９】図９は、本発明の実施の形態１にかかるアンテナ装置およびアンテナケーブルの構成を示す模式図である
【図１０】図１０は、図９に示す第１受信アンテナおよび封止構造の構成を模式的に示す平面図である。
【図１１】図１１は、図１０に示す矢視Ｄ方向の側面図である。
【図１２】図１２は、図１０に示すＥ−Ｅ線断面図である。
【図１３】図１３は、図９に示す電子デバイスを封止構造で封止する前の要部を示す平面図である。
【図１４】図１４は、本発明の実施の形態１にかかる封止構造を構成する第１樹脂プレート部の表側を示す外観図である。
【図１５】図１５は、本発明の実施の形態１にかかる封止構造を構成する第１樹脂プレート部の裏側を示す外観図である。
【図１６】図１６は、本発明の実施の形態１にかかる封止構造を構成する第２樹脂プレート部の表側を示す外観図である。
【図１７】図１７は、本発明の実施の形態１にかかるアンテナ装置およびアンテナ接続ユニットの機能構成を示すブロック図である。
【図１８】図１８は、本発明の実施の形態１の変形例１にかかる封止構造の構成を示す断面図である。
【図１９】図１９は、本発明の実施の形態１の変形例２にかかる封止構造の構成を示す断面図である。
【図２０】図２０は、本発明の実施の形態２にかかる封止構造の構成を示す断面図である。
【図２１】図２１は、本発明の実施の形態２の変形例１にかかる封止構造の構成を示す断面図である。
【発明を実施するための形態】
【００１９】
以下に、本発明の実施の形態にかかる基板上に実装された電子デバイスを封止する封止構造について、図面を参照しながら説明する。なお、以下の説明のおいては、本発明にかかる封止構造の一例として、被検体の体内に導入されて被検体の体内画像を撮像するカプセル型内視鏡から無線信号を受信するアンテナ装置を含むカプセル型内視鏡システムを例示するが、この実施の形態によって本発明が限定されるものではない。また、同一の構成には同一の符号を付して説明する。
【００２０】
（実施の形態１）
図１は、本発明の実施の形態１にかかるカプセル型内視鏡システムの概略構成を示す模式図である。
【００２１】
図１に示すように、カプセル型内視鏡システム１は、被検体２内の体内画像を撮像するカプセル型内視鏡３と、被検体２内に導入されたカプセル型内視鏡３から送信される無線信号を受信するアンテナ装置４と、アンテナケーブル５を介してアンテナ装置４から入力される無線信号に所定の処理を行うアンテナ接続ユニット６と、アンテナ接続ユニット６から入力される信号に所定の処理を行って記録する受信装置７と、カプセル型内視鏡３によって撮像された被検体２内の画像データに対応する画像を処理および／または表示する画像処理装置８と、を備える。なお、アンテナ装置４は、図示しないアンテナホルダーに挿入されて被検体２に装着される。また、受信装置７は、図示しない受信装置ホルダに挿入されて被検体２に装着される。
【００２２】
カプセル型内視鏡３は、被検体２内を撮像する撮像機能と、被検体２内を撮像して得られた画像データをアンテナ装置４に送信する無線通信機能と、を有する。また、カプセル型内視鏡３内には、円形コイルまたは円形ループによるアンテナが配置されている。カプセル型内視鏡３は、被検体２内に飲み込まれることによって被検体２内の食道を通過し、消化管腔の蠕動運動によって体腔内を移動する。カプセル型内視鏡３は、体腔内を移動しながら微小な時間間隔、たとえば０．５秒間隔で被検体２の体腔内を逐次撮像し、撮像した被検体２内の画像データを生成してアンテナ装置４に順次送信する。この場合、カプセル型内視鏡３は、画像データと、受信強度を検出し易くする位置情報（ビーコン）等を含む受信強度検出データとを含む送信信号を生成し、この生成した送信信号を変調することによって得られる無線信号をアンテナ装置４に無線送信する。
【００２３】
アンテナ装置４は、周期的にカプセル型内視鏡３から無線信号を受信し、アンテナケーブル５を介して無線信号をアンテナ接続ユニット６に出力する。
【００２４】
アンテナケーブル５は、同軸ケーブルを用いて構成される。アンテナケーブル５は、アンテナ装置４が受信した無線信号をアンテナ接続ユニット６に伝播する。
【００２５】
アンテナ接続ユニット６は、受信装置７に対して着脱自在である。アンテナ接続ユニット６は、アンテナ装置４およびアンテナケーブル５を介してカプセル型内視鏡３から送信された無線信号をもとに被検体２内の画像データの抽出と、無線信号の強度に応じた受信強度の検出とを行う。
【００２６】
受信装置７は、アンテナ接続ユニット６を介してカプセル型内視鏡３から送信された無線信号をもとに被検体２内の画像データを取得する。受信装置７は、位置情報および時刻を示す時刻情報等を、受信した画像データに対応付けてメモリに記憶する。受信装置７は、カプセル型内視鏡３により撮像が行われている間、たとえば被検体２の口から導入され、消化管内を通過して被検体２内から排出されるまでの間、受信装置ホルダに収納されて、被検体２に携帯される。受信装置７は、カプセル型内視鏡３による検査の終了後、被検体２から取り外され、カプセル型内視鏡３から受信した画像データ等の情報の転送のため、画像処理装置８に接続される。また、受信装置７は、アンテナ接続ユニット６がアンテナケーブル５の断線を検出した場合、受信装置７の表示部７１にアンテナが断線したことを示す表示を行う。さらに、受信装置７の表示部７１には、取得した画像を閲覧できるビュワー機能があるが、ビュワー機能を使い過ぎないように、受信装置７内部にある電源部のバッテリーの残量が想定した検査時間を保証できない容量になった場合に、ユーザに告知する手段を設けている。
【００２７】
画像処理装置８は、液晶ディスプレイ等の表示部を備えたワークステーションまたはパーソナルコンピュータを用いて構成される。画像処理装置８は、受信装置７を介して取得した被検体２内の画像データに対応する画像を表示する。
【００２８】
また、画像処理装置８は、受信装置７のメモリから画像データを読み取るクレードル８ａと、キーボードおよびマウス等の操作入力デバイス８ｂとを備える。クレードル８ａは、受信装置７が装着された際に受信装置７のメモリから画像データや、この画像データに関連付けされた受信強度情報、時刻情報およびカプセル型内視鏡３の識別情報等の関連情報を取得し、取得した各種情報を画像処理装置８に転送する。操作入力デバイス８ｂは、ユーザによる入力を受け付ける。
【００２９】
これにより、ユーザは、操作入力デバイス８ｂを操作しつつ、画像処理装置８が順次表示する被検体２内の画像を見ながら、被検体２内部の生体部位、たとえば食道、胃、小腸および大腸等を観察し、被検体２を診断する。また、画像処理装置８は、アンテナ接続ユニット６から出力されたアンテナ識別情報を受信装置７経由で取得し、アンテナ種別毎に位置検出の処理を変えられるようになっている。さらに、画像処理装置８は、受信装置７から出力されたアンテナ故障情報を元に異常を判定して、位置検出情報表示を切り替えられる構成になっている。クレードル８ａには、画像処理装置８を接続するケーブルが抜けないように抜け防止用のバインダーを設けている。
【００３０】
つぎに、図１に示したアンテナ接続ユニット６の外観構成について詳細に説明する。図２は、アンテナ接続ユニット６と受信装置７とを分離した状態の上面図である。図３は、図２の矢視Ａ方向の側面図である。図４は、アンテナ接続ユニット６の筐体を分解した斜視図である。図５は、図２の矢視Ｂ方向のアンテナ接続ユニット６の筐体を分解した正面図である。図６は、図２の矢視Ｂ方向のアンテナ接続ユニット６の正面図である。
【００３１】
図２〜図６に示すように、アンテナ接続ユニット６は、底面を覆うように形成された略矩形状の下側筐体６１と、上面および側面を覆うように形成された略矩形状の上側筐体６２と、所定の処理を行う処理基板６３と、受信装置７と接続するコネクタ部６４と、を備える。アンテナ接続ユニット６は、下側筐体６１と上側筐体６２とが互いに対向した状態で結合されることにより、内部に空間を有する略直方体の箱型形状に形成され、この内部にコネクタ部６４および処理基板６３を収容する。
【００３２】
下側筐体６１は、略矩形状をなす底部６１１を有し、底部６１１の周縁において対向する側部６１２、後部６１３および前部６１４を立てた状態で設け、上方を開口して形成される。前部６１４は、アンテナケーブル５のオレドメ部５１を保持する保持部６１４ａを有する。保持部６１４ａは、略筒状をなし、側壁に厚みを持たせて形成される。また、後部６１３は、ガスケット部６５を介してコネクタ部６４を保持する切欠部６１３ａを有する。底部６１１、側部６１２、後部６１３、前部６１４および保持部６１４ａは、プラスチック等の可塑性物質を用いて射出成形によって連続的に連なるように一体的に形成される。これにより、アンテナケーブル５のオレドメ部５１に加わる外力に対して剛性を高めることができ、アンテナ接続ユニット６が外力によって開くことを防止することができる。
【００３３】
上側筐体６２は、矩形状をなす上部６２１を有し、上部６２１の周縁において対向する側部６２２と、後部６２３および前部６２４を下方に延在させた状態で設け、下方を開口して形成される。前部６２４は、保持部６１４ａの形状に合わせて形成された切欠部６２４ａを有する。また、後部６２３は、ガスケット部６５を介してコネクタ部６４を保持する切欠部６２４を有する。上部６２１、側部６２２、後部６２３および前部６２４は、可塑性物質を用いて射出成形によって連続的に連なるように一体的に形成される。これにより、下側筐体６１の保持部６１４ａに対して切欠部６２４ａが押圧するので、アンテナケーブル５のオレドメ部５１に加わる外力に対して剛性をさらに高めることができ、アンテナ接続ユニット６が外力によって開くことを防止することができる。
【００３４】
ここで、ガスケット部６５の構造について詳細に説明する。図７は、図２のＣ−Ｃ線断面の要部を模式的に示す図である。
【００３５】
図７に示すように、ガスケット部６５は、シリコンゴム等の弾性部材を用いて構成される。ガスケット部６５は、略矩形状をなす底部６５１を有し、底部６５１の外面から鋭角で延在され、略円錐状（テーパ状）をなす先端部６５２が形成される。ガスケット部６５は、中央にコネクタ部６４を保持する略矩形状をなすコネクタ保持部６５３を有する。ガスケット部６５は、先端部６５２がアンテナ接続ユニット６から露出した状態で下側筐体６１の後部６１３の切欠部６１３ａおよび上側筐体６２の後部６２３の切欠部６２３ａで挟み込まれることによって、アンテナ接続ユニット６内に収容される。これにより、ガスケット部６５は、アンテナ接続ユニット６が受信装置７に接続される際に、先端部６５２が受信装置７の壁面に押し付けられることで、アンテナ接続ユニット６と受信装置７との間を確実に水密にすることができる。さらに、ガスケット部６５は、アンテナ接続ユニット６が受信装置７に接続され、先端部６５２が受信装置７の壁面に押し付けられたとき、先端部６５２が空間Ｋ１に広がるので（図８を参照）、先端部６５２が体積圧縮にならず、アンテナ接続ユニット６と受信装置７との間を確実に水密にすることができる。
【００３６】
つぎに、図１に示したアンテナ装置４およびアンテナケーブル５の詳細な構成について説明する。図９は、アンテナ装置４およびアンテナケーブル５の構成を示す模式図である。
【００３７】
図９に示すように、アンテナ装置４は、多角形シート４０と、第１受信アンテナ４１と、第２受信アンテナ４２、第３受信アンテナ４３と、第４受信アンテナ４４と、第５受信アンテナ４５と、第６受信アンテナ４６と、第７受信アンテナ４７と、第８受信アンテナ４８と、コネクタ部４９と、を備える。第１受信アンテナ４１〜第８受信アンテナ４８は、コネクタ部４９にそれぞれ接続され、一つの多角形シート４０上に設けられる。なお、図９において、基準点Ｏ１は、多角形シート４０の中心である。
【００３８】
多角形シート４０は、シート状のフレキシブル基板を用いて構成される。多角形シート４０の主面は、略八角形をなす。多角形シート４０は、被検体２の腹部表面全体を覆う大きさで形成される。多角形シート４０は、略円形状をなす位置決め孔部４０ａを形成する。
【００３９】
位置決め孔部４０ａは、中心が多角形シート４０の基準点Ｏ１を中心に含む位置に設けられる。位置決め孔部４０ａは、被検体２に装着される際に被検体２に対して、アンテナ装置４の装着位置を決める位置決め部として機能する。たとえば、被検体２の体表の指標部位（たとえば、へそ等）が位置決め孔部４０ａ内の中心部（基準点Ｏ１）に位置するように多角形シート４０を被検体２に取り付けた場合、アンテナ装置４における第１受信アンテナ４１〜第８受信アンテナ４８が被検体２の体表の所定の装着位置に正確に装着される。なお、多角形シート４０の主面は、略八角形の必要はなく、たとえば四角形等であってもよい。
【００４０】
また、多角形シート４０は、多角形シート４０とアンテナケーブル５の基端部５３との接続部５３ａを覆うカバー部５４の縁で多角形シート４０が折れ曲がらないように、カバー部５４を、基端部５３から多角形シート４０に向かうにつれて厚さが薄くなる弾性部材で構成している。なお、アンテナ装置４は、検査中にアンテナホルダーに入れて被検体２に装着されるが、アンテナ装置４とアンテナホルダーを、上下及び／又は左右非対称な形状とすることで、アンテナ装置４が上下逆や表裏逆ではアンテナホルダーに入らないようにして、アンテナ装置４が間違った向きで被検体２に装着されることを防止できる。また、アンテナ装置４の表面にアンテナの上下、表裏を間違えないような表示を行ってもよい。
【００４１】
第１受信アンテナ４１および第２受信アンテナ４２は、多角形シート４０の基準点Ｏ１を介して対向する位置にそれぞれ配置される。第１受信アンテナ４１および第２受信アンテナ４２は、基準点Ｏ１から等距離離れた位置にそれぞれ配置される。第１受信アンテナ４１および第２受信アンテナ４２は、エレメント部４１ａおよびエレメント部４２ａがそれぞれプリント配線によって多角形シート４０に形成される。第１受信アンテナ４１および第２受信アンテナ４２は、エレメント部４１ａおよびエレメント部４２ａそれぞれに接続される能動回路を含む電子デバイス４１ｂおよび電子デバイス４２ｂを有する。電子デバイス４１ｂおよび電子デバイス４２ｂは、第１受信アンテナ４１および第２受信アンテナ４２それぞれのインピーダンスマッチング、受信した無線信号の増幅や減衰を含む増幅処理および平衡から不平衡に変換する変換処理等を行う。電子デバイス４１ｂおよび電子デバイス４２ｂは、後述する封止構造９によって多角形シート４０で封止されて実装される。第１受信アンテナ４１および第２受信アンテナ４２は、平面型の伝送線路（ストリップライン）によって多角形シート４０に設けられたコネクタ部４９に接続される。
【００４２】
第３受信アンテナ４３および第４受信アンテナ４４は、第１受信アンテナ４１の重心と第２受信アンテナ４２の重心とを結ぶ直線に対して基準点Ｏ１を中心として平面内でそれぞれ９０度回転した位置に配置される。第３受信アンテナ４３および第４受信アンテナ４４は、基準点Ｏ１から等距離離れた位置にそれぞれ配置される。第３受信アンテナ４３および第４受信アンテナ４４は、エレメント部４３ａおよびエレメント部４４ａがそれぞれプリント配線によって多角形シート４０に形成される。第３受信アンテナ４３および第４受信アンテナ４４は、エレメント部４３ａおよびエレメント部４４ａそれぞれに接続される能動回路を含む電子デバイス４３ｂおよび電子デバイス４４ｂを有する。電子デバイス４３ｂおよび電子デバイス４４ｂは、後述する封止構造９によって多角形シート４０で封止されて実装される。第３受信アンテナ４３および第４受信アンテナ４４は、平面型の伝送線路によって多角形シート４０に設けられたコネクタ部４９に接続される。
【００４３】
第５受信アンテナ４５および第６受信アンテナ４６は、第１受信アンテナ４１および第２受信アンテナ４２より平面内の外周側の位置であって、第１受信アンテナ４１と第２受信アンテナ４２とを結ぶ直線に対して伸長方向が４５度をなす直線であって、各々の重心が平面内の位置にそれぞれ配置される。第５受信アンテナ４５および第６受信アンテナ４６は、第１受信アンテナ４１および第２受信アンテナ４２より平面内の外周側の位置にそれぞれ配置される。第５受信アンテナ４５および第６受信アンテナ４６は、エレメント部４５ａおよびエレメント部４６ａがそれぞれプリント配線によって多角形シート４０に形成される。第５受信アンテナ４５および第６受信アンテナ４６は、エレメント部４５ａおよびエレメント部４６ａそれぞれに接続される能動回路を含む電子デバイス４５ｂおよび電子デバイス４６ｂを有する。電子デバイス４５ｂおよび電子デバイス４６ｂは、後述する封止構造９によって多角形シート４０で封止されて実装される。第５受信アンテナ４５および第６受信アンテナ４６は、平面型の伝送線路によって多角形シート４０に設けられたコネクタ部４９に接続される。
【００４４】
第７受信アンテナ４７および第８受信アンテナ４８は、第３受信アンテナ４３の重心と第４受信アンテナ４４の重心とを結ぶ直線に対して伸長方向が４５度をなす直線であって、各々の重心が平面内の位置にそれぞれ配置される。第５受信アンテナ４５および第６受信アンテナ４６に対して基準点Ｏ１を中心として平面内でそれぞれ９０度回転した位置に配置される。第７受信アンテナ４７および第８受信アンテナ４８は、第１受信アンテナ４１および第２受信アンテナ４２より平面内の外周側の位置にそれぞれ配置される。第７受信アンテナ４７および第８受信アンテナ４８は、エレメント部４７ａおよびエレメント部４８ａがそれぞれプリント配線によって多角形シート４０に形成される。第７受信アンテナ４７および第８受信アンテナ４８は、エレメント部４７ａおよびエレメント部４８ａそれぞれに接続される能動回路を含む電子デバイス４７ｂおよび電子デバイス４８ｂを有する。電子デバイス４７ｂおよび電子デバイス４８ｂは、後述する封止構造９によって多角形シート４０で封止されて実装される。第７受信アンテナ４７および第８受信アンテナ４８は、平面型の伝送線路によって多角形シート４０に設けられたコネクタ部４９に接続される。
【００４５】
アンテナケーブル５は、第１受信アンテナ４１〜第８受信アンテナ４８がそれぞれ受信した無線信号をアンテナ接続ユニット６に送信するとともに、アンテナ接続ユニット６から供給される電力を第１受信アンテナ４１〜第８受信アンテナ４８それぞれに伝送する。アンテナケーブル５は、オレドメ部５１と、可撓部５２と、基端部５３と、を有する。オレドメ部５１は、アンテナ接続ユニット６側の保持部６１４ａに差し込むことによって、アンテナ接続ユニット６に接続する。可撓部５２は、第１受信アンテナ４１〜第８受信アンテナ４８の数に応じた芯線を有する。具体的には、可撓部５２は、少なくとも８本の芯線を有する。基端部５３は、コネクタ部４９に対して、基準点Ｏ１を通る直線上から所定距離離れた位置で接続される。
【００４６】
このように構成されたアンテナ装置４は、被検体２の体表の指標となる部位を基準にして第１受信アンテナ４１〜第８受信アンテナ４８を配置することにより、被検体２の体内臓器でありカプセル型内視鏡３が通過する体内管腔に対する各受信アンテナの相対位置を高い精度で配置することができる。これにより、位置決め孔部４０ａを用いてアンテナ装置４を被検体２に取り付けるという簡便な作用によって、アンテナ装置４の被検体２への位置決めを容易に行うことができる。なお、位置決め孔部４０ａに、透明部材、たとえば透明なビニールシート等を設けてもよい。
【００４７】
ここで、図９で説明した第１受信アンテナ４１および封止構造９の構成について詳細に説明する。図１０は、図９に示す第１受信アンテナ４１および封止構造９の構成を模式的に示す平面図である。図１１は、図１０に示す矢視Ｄ方向の側面図である。図１２は、図１０に示すＥ−Ｅ線断面図である。図１３は、図９に示す電子デバイス４１ｂを封止構造９で封止する前の要部を示す平面図である。図１４は、封止構造９を構成する第１樹脂プレート部の表側を示す外観図である。図１５は、封止構造９を構成する第１樹脂プレート部の裏側を示す外観図である。図１６は、封止構造９を構成する第２樹脂プレート部の表側を示す外観図である。
【００４８】
図１０〜図１６に示すように、第１受信アンテナ４１は、平衡型のアンテナを用いて構成される。具体的には、第１受信アンテナ４１は、２本のエレメント部４１ａが直線上の導線を有するダイポールアンテナを用いて構成される。第１受信アンテナ４１は、２本のエレメント部４１ａの直線上の導線が左右対称に一直線上に略同じ長さで形成される。また、第１受信アンテナ４１は、電子デバイス４１ｂが図示しない半田付け部によってエレメント部４１ａに電気的に接続される。
【００４９】
多角形シート４０は、扇状をなす複数の第１シート連通孔部４０ｂと、電子デバイス４１ｂの周辺の多角形シート４０に形成され、略円形をなす複数の第２シート連通孔部４０ｃと、を有する。
【００５０】
第１シート連通孔部４０ｂは、幅を有する略円弧状をなし、電子デバイス４１ｂの周辺を囲むように所定の間隔ごとに多角形シート４０に複数形成される。第１シート連通孔部４０ｂは、多角形シート４０の表面と裏面とを連結する。
【００５１】
第２シート連通孔部４０ｃは、略円形状をなし、電子デバイス４１ｂの周辺を囲むように所定の間隔ごとに複数形成される。第２シート連通孔部４０ｃは、第１シート連通孔部４０ｂよりも内周側に形成される。
【００５２】
封止構造９は、電子デバイス４１ｂの周辺の多角形シート４０に形成され電子デバイス４１ｂの上部に配置される第１樹脂プレート部９１と、多角形シート４０を介して電子デバイス４１ｂを挟み込む第２樹脂プレート部９２と、第１樹脂プレート部９１および第２樹脂プレート部９２の外周に設けられ、第１樹脂プレート部９１および第２樹脂プレート部９２の一部を覆う弾性体９３と、を備える。封止構造９の外縁は、略円形をなし、第１受信アンテナ４１と接する（エレメント部４１ａに重ならない）。
【００５３】
第１樹脂プレート部９１は、略円形をなし、多角形シート４０より硬質な材料、たとえばエンジニアリングプラスチック等の可塑性部材を用いて形成される。第１樹脂プレート部９１は、略円形をなす蓋部９１１と、蓋部９１１の周縁から鉛直方向に延在して設けられた略円環状の側壁９１２と、側壁９１２から外周側に向けて延在して設けられた第１板部９１３と、第１板部９１３から外周側に向けて延在して設けられた第２板部９１４と、第２板部９１４から多角形シート４０の裏面に複数設けられ、多角形シート４０の第２シート連通孔部４０ｃを貫通する略円柱状の突起部９１５と、を有する。また、第１板部９１３には、所定の間隔毎に孔部９１３ａが複数形成されている。孔部９１３は、電子デバイス４１ｂと第１プレート部９１の外部とを連通する。蓋部９１１、側壁９１２、第１板部９１３、第２板部９１４および突起部９１５は、射出成型によって連続的に連なるように一体的に形成される。また、第１樹脂プレート部９１は、側壁９１２が電子デバイス４１ｂの一部に当接して多角形シート４０に向けて押圧する。
【００５４】
第２樹脂プレート部９２は、略円形をなし、多角形シート４０より硬質な材料、たとえばエンジニアリングプラチック等の可塑性部材を用いて形成される。第２樹脂プレート部９２は、略円形をなす底部９２１と、底部９２１の中央付近から所定の間隔ごとに突起する複数の突起部９２２と、を有する。底部９２１には、第１樹脂プレート部９１の突起部９１５に対向する位置に突起部９１５と嵌合する嵌合部９２１ａが複数形成されている。底部９２１および突起部９２２は、射出成型によって連続的に連なるように一体的に形成される。
【００５５】
弾性体９３は、エラストマー等の熱可塑性部材を用いて構成される。弾性体９３は、複数の第１シート連通孔部４０ｂを介して第１樹脂プレート部９１および第２樹脂プレート部９２の外周に設けられて、第１樹脂プレート部９１および第２樹脂プレート部９２の一部を覆うとともに、第１樹脂プレート部９１および第２樹脂プレート部９２を多角形シート４０に押し付けるように一体的に成型される。具体的には、弾性体９３は、第１樹脂プレート部９１および第２樹脂プレート部９２によって多角形シート４０および電子デバイス４１ｂが挟み込まれた状態で多角形シート４０、第１樹脂プレート部９１および第２樹脂プレート部９２に対して固定するように密着して一体的に成型される。また、弾性体９３は、第１樹脂プレート部９１の孔部９１３ａを介して第１樹脂プレート部９１と電子デバイス４１ｂとの隙間（内部）に充填される。これにより、弾性体９３は、電子デバイス４１ｂの周縁に充填される。この際、弾性体９３の外縁は、略円形をなし、エレメント部４１ａに接して成型される。
【００５６】
このように構成された封止構造９は、多角形シート４０が外力によって湾曲しても、第１樹脂プレート部９１および第２樹脂プレート部９２が電子デバイス４１ｂの近傍で多角形シート４０の湾曲（曲がり）を緩和する。これにより、電子デバイス４１ｂをエレメント部４１ａに接続するための半田付け部に負荷がかからず、第１受信アンテナ４１の受信特性を維持することができるとともに、安定して無線信号を受信することができる。また、封止構造９は、弾性体９３が多角形シート４０と密着することで、電子デバイス４１ｂに水等が浸入することを確実に防止することができる。さらに、封止構造９は、弾性体９３がエレメント部４１ａに接するように形成されるため、弾性体９３の誘電率の違いが影響せず、第１受信アンテナ４１の受信特性を維持することができる。さらにまた、第１樹脂プレート部９１、第２樹脂プレート部９２および弾性体９３によって簡易な封止構造９を形成するので、コストを低減することができる。なお、他の電子デバイス４２ｂ〜４８ｂも同様に封止構造９によって多角形シート４０に封止される。
【００５７】
つぎに、図２で説明したアンテナ接続ユニット６および図９で説明したアンテナ装置４の機能について詳細に説明する。図１７は、アンテナ装置４およびアンテナ接続ユニット６の機能構成を示すブロック図である。なお、以下においては、第１受信アンテナ４１〜第８受信アンテナ４８のいずれか一つを示す場合、単に第１受信アンテナ４１（エレメント部４１ａ、電子デバイス４１ｂ）として説明する。
【００５８】
図１７に示すように、アンテナ接続ユニット６は、アンテナケーブル５が接続されるコネクタ部６００と、第１受信アンテナ４１〜第８受信アンテナ４８を択一的に切り替えるアンテナ切替選択スイッチ部６０１と、アンテナ切替選択スイッチ部６０１によって選択された第１受信アンテナ４１〜第８受信アンテナ４８のいずれか一つを介して受信した無線信号に対して復調等の処理を行う受信回路６０２と、受信回路６０２から出力される無線信号から画像データ等を抽出する信号処理回路６０３と、受信回路６０２から出力される無線信号の強度に基づいて、受信強度を検出する受信電界強度検出回路６０４と、第１受信アンテナ４１〜第８受信アンテナ４８のいずれかに電力を供給するアンテナ電源切替選択部６０５と、受信電界強度検出回路６０４を校正する補正パラメータおよび第１受信アンテナ４１〜第８受信アンテナ４８を校正する補正パラメータを記憶する記憶部６０６と、受信装置７と双方向に送受信を行うコネクタ部６４と、アンテナ接続ユニット６の動作を制御する制御部６０７と、を備える。
【００５９】
コネクタ部６００は、アンテナケーブル５が着脱自在に接続される。コネクタ部６００は、アンテナ切替選択スイッチ部６０１およびアンテナ電源切替選択部６０５に電気的に接続される。
【００６０】
アンテナ切替選択スイッチ部６０１は、機械式スイッチまたは半導体スイッチ等を用いて構成される。アンテナ切替選択スイッチ部６０１は、第１受信アンテナ４１〜第８受信アンテナ４８それぞれにコンデンサＣ１を介して電気的に接続される。アンテナ切替選択スイッチ部６０１は、無線信号を受信する受信アンテナを切替る切替信号Ｓ１が制御部６０７から入力された場合、たとえば切替信号Ｓ１が指示する第１受信アンテナ４１を選択し、この選択した第１受信アンテナ４１を介して受信された無線信号を受信回路６０２に出力する。なお、第１受信アンテナ４１〜第８受信アンテナ４８それぞれに接続されるコンデンサの容量は、コンデンサＣ１の容量と等しい。
【００６１】
受信回路６０２は、アンテナ切替選択スイッチ部６０１によって選択された第１受信アンテナ４１を介して受信された無線信号に対して所定の処理、たとえば復調や増幅等の処理を行って信号処理回路６０３と受信電界強度検出回路６０４とにそれぞれ出力する。
【００６２】
信号処理回路６０３は、受信回路６０２から入力された無線信号の中から画像データを抽出し、抽出した画像データに対して所定の処理、たとえば各種の画像処理やＡ／Ｄ変換処理等を行って制御部６０７に出力する。具体的には、信号処理回路６０３は、画像データに対して増幅処理やノイズ低減処理等を行って制御部６０７に出力する。
【００６３】
受信電界強度検出回路６０４は、受信回路６０２から入力された無線信号の強度に応じた受信強度を検出し、検出した受信強度に対応する受信強度信号（ＲＳＳＩ：Received  Signal  Strength  Indicator）を制御部６０７に出力する。
【００６４】
アンテナ電源切替選択部６０５は、第１受信アンテナ４１〜第８受信アンテナ４８それぞれにコイルＬ１を介して電気的に接続される。アンテナ電源切替選択部６０５は、アンテナ切替選択スイッチ部６０１によって選択された第１受信アンテナ４１に対してアンテナケーブル５を介して電力を供給する。アンテナ電源切替選択部６０５は、電源切替選択スイッチ部６０５ａと、異常検出部６０５ｂとを有する。なお、第１受信アンテナ４１〜第８受信アンテナ４８それぞれに接続されるコイルの電気的特性は、コイルＬ１の電気的特性と等しい。
【００６５】
電源切替選択スイッチ部６０５ａは、機械式スイッチまたは半導体スイッチ等を用いて構成される。電源切替選択スイッチ部６０５ａは、制御部６０７から電力を供給する受信アンテナを選択する選択信号Ｓ２が入力された場合、たとえば選択信号Ｓ２が指示する第１受信アンテナ４１を選択し、この選択した第１受信アンテナ４１のみに電力を供給する。
【００６６】
異常検出部６０５ｂは、電力を供給する第１受信アンテナ４１に異常が生じている場合、電力を供給する第１受信アンテナ４１に異常が生じていることを示す異常信号を制御部６０７に出力する。具体的には、異常検出部６０５ｂは、電源切替選択スイッチ部６０５ａが選択した第１受信アンテナ４１に供給される電圧に基づいて、第１受信アンテナ４１に断線異常または短絡異常を検出し、この検出結果を制御部６０７に出力する。
【００６７】
記憶部６０６は、アンテナ接続ユニット６の内部に固定的に設けられるフラッシュメモリやＲＡＭ（Random  Access  Memory）等の半導体メモリを用いて構成される。記憶部６０６は、カプセル型内視鏡３が撮像した画像データやこの画像データに対応付けされた各種情報、たとえばカプセル型内視鏡３の位置情報、受信強度情報および無線信号を受信した受信アンテナを識別する識別情報およびアンテナ接続ユニット６が実行する各種プログラム等を記憶する。
【００６８】
コネクタ部６４は、通信インターフェースとしての機能を有し、受信装置７と双方向に送受信を行う。
【００６９】
制御部６０７は、ＣＰＵ等を用いて構成される。制御部６０７は、記憶部６０６からプログラムを読み出して実行し、アンテナ接続ユニット６を構成する各部に対する指示やデータの転送等を行ってアンテナ接続ユニット６の動作を統括的に制御する。なお、上述したアンテナ切替選択スイッチ部６０１、受信回路６０２、信号処理回路６０３、受信電界強度検出回路６０４、アンテナ電源切替選択部６０５、記憶部６０６および制御部６０７が処理基板６３として機能する。
【００７０】
制御部６０７の詳細な構成について説明する。選択制御部６０７ａと、異常情報付加部６０７ｂと、を有する。
【００７１】
選択制御部６０７ａは、カプセル型内視鏡３から送信される無線信号を受信する受信アンテナを選択するとともに、選択した受信アンテナのみに電力を供給する制御を行う。具体的には、選択制御部６０７ａは、受信電界強度検出回路６０４が検出した第１受信アンテナ４１〜第８受信アンテナ４８それぞれの受信強度（入力電力）に基づいて、カプセル型内視鏡３から送信される無線信号を受信する受信アンテナを選択するともに、選択した受信アンテナのみに電力を供給する制御を行う。たとえば、選択制御部６０７ａは、所定のタイミング毎、たとえば１００ｍｓｅｃ毎にアンテナ切替選択スイッチ部６０１を駆動させ、第１受信アンテナ４１〜第８受信アンテナ４８の中から無線信号を受信する受信アンテナを順次選択し、受信電界強度検出回路６０４が検出する受信強度が所定の値になるまでこの処理を繰り返し行う。
【００７２】
異常情報付加部６０７ｂは、異常検出部６０５ｂが第１受信アンテナ４１〜第８受信アンテナ４８のいずれか一つで異常を検出した場合、第１受信アンテナ４１〜第８受信アンテナ４８がそれぞれ受信した無線信号に対し、第１受信アンテナ４１〜第８受信アンテナ４８のいずれか一つに異常が生じていることを示す異常情報を付加する。具体的には、異常情報付加部６０７ｂは、第１受信アンテナ４１〜第８受信アンテナ４８がそれぞれ受信した無線信号に対して信号処理回路６０３が信号処理を行った画像データに、異常情報を示すフラグを付加する。
【００７３】
以上説明した本発明の実施の形態１によれば、多角形シート４０上に実装された電子デバイス４１ｂ〜４８ｂに対して、多角形シート４０の表面と裏面とから第１樹脂プレート部９１および第２樹脂プレート部９２によって挟みこみ、弾性体９３で多角形シート４０、第１樹脂プレート部９１および第２樹脂プレート部９２との外周に一体的に成型する。これにより、多角形シート４０が外力によって湾曲しても、第１樹脂プレート部９１および第２樹脂プレート部９２が電子デバイス４１ｂ〜４８ｂの近傍で多角形シート４０の曲がりを緩和する。この結果、電子デバイス４１ｂ〜４８ｂそれぞれをエレメント部４１ａ〜４８ａに接続するための半田付け部に負荷がかからず、第１受信アンテナ４１〜第８受信アンテナ４８の受信特性を維持することができるとともに、安定して無線信号を受信することができる。
【００７４】
また、本実施の形態１によれば、弾性体９３が多角形シート４０と密着（水密）することで、電子デバイス４１ｂ〜４８ｂに水等が浸入することを確実に防止することができる。
【００７５】
さらに、本実施の形態１によれば、弾性体９３がエレメント部４１ａ〜４８ａに接するように形成されるため、弾性体９３の誘電率の違いが影響せず、第１受信アンテナ４１〜第８受信アンテナ４８の受信特性を維持することができる。
【００７６】
さらにまた、本実施の形態１によれば、第１樹脂プレート部９１、第２樹脂プレート部９２および弾性体９３によって封止構造９を構成するので、コストを削減することができる。
【００７７】
なお、本実施の形態１では、封止構造９が略円形をなしていたが、楕円形や四角形であってもよい。
【００７８】
（実施の形態１の変形例１）
なお、本実施の形態１では、第１樹脂プレート部に形成された突起部および第２樹脂プレート部に形成された嵌合部の形状を変更することができる。図１８は、本実施の形態１の変形例１にかかる封止構造の構成を示す断面図である。なお、上述した実施の形態１と同一の構成には同一の符号を付して説明する。
【００７９】
図１８に示すように封止構造１００は、第１樹脂プレート部１１０と、第２樹脂プレート部１２０と、弾性体９３と、を備える。
【００８０】
第１樹脂プレート部１１０は、蓋部９１１と、側壁９１２と、第１板部９１３と、第２板部９１４と、突起部１１１とを有する。突起部１１１は、第２板部９１４から鉛直方向に複数設けられる。突起部１１１は、嵌合部１２１に係合する係合部として機能する爪部１１１ａを有する。蓋部９１１、側壁９１２、第１板部９１３、第２板部９１４および突起部１１１は、可塑性部材を用いて射出成型によって連続的に連なるように一体的に形成される。また、第１樹脂プレート部１１０は、側壁９１２および第１板部９１３が電子デバイス４１ｂを多角形シート４０に向けて押圧する。
【００８１】
第２樹脂プレート部１２０は、底部９２１と、突起部９２２と、嵌合部１２１と、を有する。嵌合部１２１は、第１樹脂プレート部１１０の突起部１１１に対向する位置に複数形成されている。嵌合部１２１は、断面が略Ｌ字状に形成される。底部９２１、突起部９２２および嵌合部１２１は、可塑性部材を用いて射出成型によって連続的に連なるように一体的に形成される。
【００８２】
以上説明した本発明の実施の形態１の変形例１によれば、突起部１１１が外周側に向けて爪部１１１ａが形成されているので、外力によって第１樹脂プレート部１１０および第２樹脂プレート部１２０が外れることを確実に防止することができる。
【００８３】
さらに、本実施の形態１の変形例１によれば、複数個所に第１樹脂プレート部１１０および第２樹脂プレート部１２０を嵌め合いにより取り付けてからエラストマー加工のため、金型にセットした際に、第１樹脂プレート部１１０および第２樹脂プレート部１２０が外れることを防止することができ、再取り付けを確実に防止することができる。
【００８４】
さらにまた、本実施の形態１の変形例１によれば、第１樹脂プレート部１１０および第２樹脂プレート部１２０を接着後に外れないように接着剤を用いて固定する等の追加工程（接着工程）を省くことができ、加工コストを低減することができる。
【００８５】
なお、本実施の形態１の変形例１によれば、係合部として爪部１１１ａであったが、たとえば突起部１１１に螺旋状の溝を設けてもよい。さらに、突起部１１１および嵌合部１２１それぞれの表面に凹凸を設けて、互いに接触する表面積を増やすことで突起部１１１を嵌合部１２１に係合するようにしてもよい。
【００８６】
（実施の形態１の変形例２）
図１９は、本発明の実施の形態１の変形例２にかかる封止構造の構成を示す断面図である。なお、上述した実施の形態１と同一の構成には同一の符号を付して説明する。
【００８７】
図１９に示すように封止構造１３０は、第１樹脂プレート部１４０と、第２樹脂プレート部１５０と、弾性体９３と、を備える。
【００８８】
第１樹脂プレート部１４０は、蓋部９１１と、側壁９１２と、第１板部９１３と、第２板部９１４と、突起部１４１とを有する。突起部１４１は、第２板部９１４から鉛直方向に複数設けられる。突起部１４１は、先端に向けて鋭くなるように円錐状に形成される。蓋部９１１、側壁９１２、第１板部９１３、第２板部９１４および突起部１４１は、可塑性部材を用いて射出成型によって連続的に連なるように一体的に形成される。
【００８９】
第２樹脂プレート部１５０は、底部９２１と、突起部９２２と、嵌合部１５１とを有する。第１樹脂プレート部１４０の突起部１４１に対向する位置に複数形成されている。嵌合部１５１は、先端に向けて径が小さくなるように円柱状に形成される。底部９２１、突起部９２２および嵌合部１５１は、可塑性部材を用いて射出成型によって連続的に連なるように一体的に形成される。なお、嵌合部１５１は、切り込み等であってもよい。
【００９０】
このように構成された封止構造１３０は、第１樹脂プレート部１４０および第２樹脂プレート部１５０を接続する際に、突起部１４１が嵌合部１５１を押圧して変形させる。これにより、第１樹脂プレート部１４０および第２樹脂プレート部１５０が外力によって外れることを防止することができる。
【００９１】
以上説明した本発明の実施の形態１の変形例２によれば、第１樹脂プレート部１４０および第２樹脂プレート部１５０が外力によって外れることを確実に防止することができる。
【００９２】
（実施の形態２）
つぎに、本発明の実施の形態２について説明する。本実施の形態２は、上述した実施の形態１と第１樹脂プレート部の形状が異なる。このため、以下においては、第１樹脂プレート部について説明する。なお、上述した実施の形態１と同一の構成には同一の符号を付して説明する。
【００９３】
図２０は、本実施の形態２にかかる封止構造の構成を示す断面図である。図２０に示す封止構造２００は、第１樹脂プレート部２１０と、第２樹脂プレート部９２と、弾性体９３と、を備える。
【００９４】
第１樹脂プレート部２１０は、略円形状をなす蓋部２１１と、蓋部２１１の周縁に沿って形成された円環状をなす側壁２１２と、側壁２１２から外周側に形成された板部２１３と、板部２１３から所定の間隔で鉛直方向に形成された突起部２１４と、を有する。蓋部２１１は、略円形状をなす開口部２１１ａが形成されている。蓋部２１１、側壁２１２、板部２１３および突起部２１４は、可塑性部材を用いて射出成型によって連続的に連なるように一体的に形成される。
【００９５】
このように構成された封止構造２００は、電子デバイス４１ｂの上面に第１樹脂プレート部２１０が直接接触せず、弾性体９３の成型加工時に第１樹脂プレート部２１０が金型により押圧されても、電子デバイス４１ｂに直接押圧力がかからない状態で成型することで、電子デバイス４１ｂに不要な負荷をかけずに形成することができる。弾性体９３は、開口部２１１ａを介して第１樹脂プレート部２１０と電子デバイス４１ｂとの隙間に充填されるので、成型後に電子デバイス４１ｂを固定することができる。
【００９６】
以上説明した本発明の実施の形態２によれば、封止構造２００の成型加工時に電子デバイス４１ｂへ不必要に大きな負荷がかかることを防止することができる。
【００９７】
（実施の形態２の変形例１）
なお、本実施の形態２では、第１樹脂プレートの形状を変更することもできる。図２１は、本実施の形態２の変形例１にかかる封止構造の構成を示す断面図である。なお、上述した実施の形態２と同一の構成には同一の符号を付して説明する。
【００９８】
図２１に示す封止構造３００は、第１樹脂プレート部２１０と、第１樹脂プレート２１０と電子デバイス４１ｂとの間に設けられ、第１樹脂プレート部２１０と電子デバイス４１ｂが互いに離間する方向に付勢された弾性部材３０１を有する。弾性部材３０１は、バネやゴム等を用いて構成される。
【００９９】
このように構成された封止構造３００は、加工時に電子デバイス４１ｂへ不要な押圧力を印加せずに、確実に電子デバイス４１ｂを固定しながら、弾性体９３を成型することができる。
【符号の説明】
【０１００】
１  カプセル型内視鏡システム
２  被検体
３  カプセル型内視鏡
４  アンテナ装置
５  アンテナケーブル
６  アンテナ接続ユニット
７  受信装置
８  画像処理装置
８ａ  クレードル
８ｂ  操作入力デバイス
９，１００，１３０，２００，３００  封止構造
４０  多角形シート
４０ａ  位置決め孔部
４０ｂ  第１シート連通孔部
４０ｃ  第２シート連通孔部
４１  第１受信アンテナ
４１ａ〜４８ａ  エレメント部
４１ｂ〜４８ｂ  電子デバイス
４２  第２受信アンテナ
４３  第３受信アンテナ
４４  第４受信アンテナ
４５  第５受信アンテナ
４６  第６受信アンテナ
４７  第７受信アンテナ
４８  第８受信アンテナ
９１，１１０，１４０，２１０  第１樹脂プレート部
９２，１２０，１５０  第２樹脂プレート部
９３  弾性体
１１１ａ  爪部
３０１  弾性部材
【要約】
フレキシブルシートの湾曲時に電子デバイスに生じる負荷を緩和することができる電子デバイス用の封止構造およびアンテナ装置を提供する。屈曲可能な多角形シート４０に実装された電子デバイス４１ｂを封止する封止構造９であって、電子デバイス４１ｂが実装された多角形シート４０の表面と裏面とから多角形シート４０を介して電子デバイス４１ｂを挟み込む硬質な第１樹脂プレート部９１および第２樹脂プレート部９２と、第１樹脂プレート部９１および第２樹脂プレート部９２の外周に設けられて、第１樹脂プレート部９１および第２樹脂プレート部９２を多角形シート４０に押し付けるように一体的に成型された弾性体９３と、を備える。【図１】
0005385492.tif 000002
【図２】
0005385492.tif 000003
【図３】
0005385492.tif 000004
【図４】
0005385492.tif 000005
【図５】
0005385492.tif 000006
【図６】
0005385492.tif 000007
【図７】
0005385492.tif 000008
【図８】
0005385492.tif 000009
【図９】
0005385492.tif 000010
【図１０】
0005385492.tif 000011
【図１１】
0005385492.tif 000012
【図１２】
0005385492.tif 000013
【図１３】
0005385492.tif 000014
【図１４】
0005385492.tif 000015
【図１５】
0005385492.tif 000016
【図１６】
0005385492.tif 000017
【図１７】
0005385492.tif 000018
【図１８】
0005385492.tif 000019
【図１９】
0005385492.tif 000020
【図２０】
0005385492.tif 000021
【図２１】
0005385492.tif 000022